(57)【要約】【課題】  鉄骨材やプレキャスト材により自立させた合掌形状の構築物を構築する作業においては、鉄骨材同士やプレキャスト材同士を互いに強固に連結する作業などが大変であり、工事が長期化するという課題があった。【解決手段】  内側型枠支持装置１で支持された内側型枠５と外側型枠８との間に形成されたコンクリート打設空間１０に生コンクリートを打設することでトンネル形状空間の形成されたコンクリート構造体を構築し、内型枠支持装置１を移動して構築済みのコンクリート構造体の端に連続するよう内側型枠と外側型枠とを設置して構築済みのコンクリート構造体と連続するコンクリート構造体を構築し、以下同様にして構築済みのコンクリート構造体と連続するコンクリート構造体を次々と構築していくことにより延長方向に連続するトンネル形状空間を備えたコンクリート建物を構築した。【選択図】        図１
2006124927.tif 000002
【特許請求の範囲】
【請求項１】
内側型枠支持装置で支持された内側型枠と内側型枠の外側に設置された外側型枠とを型枠連結具で互いに連結して内側型枠と外側型枠との間に形成されたコンクリート打設空間に生コンクリートを打設することでトンネル形状空間の形成されたコンクリート構造体を構築し、その後、内型枠支持装置を移動して構築済みのコンクリート構造体の端に連続するよう内側型枠と外側型枠とを設置して内側型枠と外側型枠との間に形成されたコンクリート打設空間に生コンクリートを打設することで構築済みのコンクリート構造体と連続するコンクリート構造体を構築し、以下同様にして構築済みのコンクリート構造体と連続するコンクリート構造体を次々と構築していくことにより延長方向に連続するトンネル形状空間を備えたコンクリート建物を構築したことを特徴とするコンクリート建物の構築方法。
【請求項２】
内側型枠支持装置としてトンネル覆工コンクリート施工用のセントルを用いたことを特徴とする請求項１に記載のコンクリート建物の構築方法。
【請求項３】
外側型枠として外装材を用い、コンクリート打設後に当該外装材を離型せずにそのままコンクリートと一体化させたことを特徴とする請求項１又は請求項２に記載のコンクリート建物の構築方法。
【発明の詳細な説明】
【技術分野】
【０００１】
本発明はトンネル形状空間を備えたコンクリート建物の構築方法に関する。
【背景技術】
【０００２】
トンネル形状空間を備えた建物として、既存施設の上方を覆う空間を備えた大屋根形集合住宅の構築方法が知られている。例えば、鉄骨材により合掌形躯体を形成し、合掌形躯体の斜面に複数の住宅を形成する大屋根形集合住宅の構築方法（例えば、特許文献１等）や、合掌形の移動架台を用いてプレキャスト材を下から積み重ねて行って合掌形住宅を形成する大屋根形集合住宅の構築方法（例えば、特許文献２等）が知られている。
【特許文献１】特開２００１−２７０４９号公報
【特許文献２】特開２０００−２３４４４６号公報
【発明の開示】
【発明が解決しようとする課題】
【０００３】
従来は、下から鉄骨材を組み立てていったり、プレキャスト材を１つ１つ下から積み重ねて行って組み立てていくことで、既存施設の上方を覆う合掌形状の構築物を形成し、この合掌形状の構築物を連続して形成することで、トンネル形状空間を備えた建物を構築している。このように、鉄骨材やプレキャスト材により自立させた合掌形状の構築物を構築する作業においては、鉄骨材同士やプレキャスト材同士を互いに強固に連結する作業などが大変であり、工事が長期化するという課題があった。
【課題を解決するための手段】
【０００４】
本発明のコンクリート建物構築方法は、内側型枠支持装置で支持された内側型枠と内側型枠の外側に設置された外側型枠とを型枠連結具で互いに連結して内側型枠と外側型枠との間に形成されたコンクリート打設空間に生コンクリートを打設することでトンネル形状空間の形成されたコンクリート構造体を構築し、その後、内型枠支持装置を移動して構築済みのコンクリート構造体の端に連続するよう内側型枠と外側型枠とを設置して内側型枠と外側型枠との間に形成されたコンクリート打設空間に生コンクリートを打設することで構築済みのコンクリート構造体と連続するコンクリート構造体を構築し、以下同様にして構築済みのコンクリート構造体と連続するコンクリート構造体を次々と構築していくことにより延長方向に連続するトンネル形状空間を備えたコンクリート建物を構築したことを特徴とする。内側型枠支持装置としてトンネル覆工コンクリート施工用のセントルを用いたことや、外側型枠として外装材を用い、コンクリート打設後に当該外装材を離型せずにそのままコンクリートと一体化させたことも特徴とする。
【発明の効果】
【０００５】
本発明によれば、内型枠支持装置を移動して次々と連続するようにコンクリート構造体を順次構築していけるので、トンネル形状空間を備えたコンクリート建物の施工が容易となり、工期を短くできる。内側型枠支持装置としてセントルと呼ばれるような装置を用いることで、セントルを保有する施工業者は、内側型枠支持装置の導入コストを不要とできる。コンクリート打設後に外側型枠としての外装材を離型せずにそのままコンクリートと一体化させることで、コンクリート構造体の構築とともにコンクリート建物の外装も形成できる。
【発明を実施するための最良の形態】
【０００６】
本発明の施工方法を図１〜図３に基いて説明する。各図において、１は内側型枠支持装置であり、これは、車輪２付きの移動体３と、移動体３の外周に設けられた複数のジャッキ４，４…と、各ジャッキ４の先端にそれぞれ設けられた内側型枠５，５…とを備える。移動体３は地面６に沿って延長し、縦断面形状が例えば門型に形成されたものである。ジャッキ４は移動体３の外周から離れる方向に伸長するとともに、移動体３の外周に近づく方向に縮退する。内側型枠５はヒンジ機構７により折畳めて収納状態に設定され、かつ、広げられて使用状態に設定される。また、内側型枠５は移動体３の長方向に沿って延長する。
【０００７】
以上の構成の内側型枠支持装置１をコンクリート建物施工場所に配置し、移動体３が動かないように図外のストッパで車輪２の動きを規制しておく。そして、各ジャッキ４を伸ばすとともに各内側型枠５を広げて使用状態に設定し、隣接する内側型枠５同士を図外の連結手段で連結する。内側型枠５の外側に外側型枠８を設置して、内側型枠５と外側型枠８とを型枠連結具９により互いに連結し、さらに、内側型枠５の延長方向の両端側における内側型枠５と外側型枠８との間を図外の堰板で封じて内側型枠５と外側型枠８との間にコンクリート打設空間１０を形成する。型枠連結具９は内側型枠５あるいは外側型枠８に設けられた図外の袋ナットとこの袋ナットに締結される連結棒とで構成されて、内側型枠５と外側型枠８とを分離可能に連結するものである。そして、コンクリート打設空間１０に生コンクリートを打設する。コンクリートが固まったら、型枠連結具９を外して、外側型枠８、内側型枠５、堰板を離型することで、内側型枠５で形成されたコンクリート内面の内側にトンネル形状空間を有したコンクリート構造体１１を構築できる（図２参照）。そして、図３の一点鎖線Ａ１に示すように内側型枠支持装置１を移動して構築済みのコンクリート構造体１１の端１２に連続するよう内側型枠５と外側型枠８とを設置して上述した要領で内側型枠５と外側型枠８との間にコンクリート打設空間１０を形成し、このコンクリート打設空間１０にコンクリートを打設することで構築済みのコンクリート構造体１１と連続するコンクリート構造体１１を構築できる。以下同様に図３に示すように内側型枠支持装置１を順次移動しながらコンクリート構造体１１を順次構築していくことにより、トンネル形状空間を備えたコンクリート建物を構築できる。例えば、トンネル形状空間を備えたコンクリート建物として、図４に示すような観覧席１５を備えた野球場１６を構築できる。即ち、観覧席１５の下に連続するトンネル形状空間２０を備えた野球場１６を構築できる。尚、図４に示すように、この野球場１６の観覧席１５は外野席に相当する部分がなく、トンネル形状空間２０に外から侵入できる構造となっている。したがって、トンネル形状空間２０を駐車場及び売店施設等の他目的スペースとして利用できる。
【０００８】
最良の形態では、トンネル形状空間２０を備えたコンクリート建物を容易に構築でき、工期を短縮できる。また、内側型枠支持装置１としては例えばトンネルの二次覆工コンクリートを形成する際に用いる「セントル」と呼ばれるような装置を用いることで、「セントル」を保有する施工業者の場合には、内側型枠支持装置１の導入コストを不要とできる。また、例えば外側型枠として外装を形成するプレキャスト外装材を用い、コンクリート打設後に当該プレキャスト外装材を離型せずにそのままコンクリートと一体化させるようにすれば、コンクリート構造体の構築とともにコンクリート建物の外装も形成できる。例えば、植栽用のプレキャスト外装材を用いて建物壁面緑化を実現できる。また、コンクリート打設空間１０内に鉄筋を適宜配設することで鉄筋コンクリート構造としてもよい。
【産業上の利用可能性】
【０００９】
上記ではトンネル形状空間を備えたコンクリート建物の例として野球場を挙げたが、本発明によれば、その他の競技場や施設等も同様に構築できる。
【図面の簡単な説明】
【００１０】
【図１】本発明の最良の形態によるコンクリート建物の構築方法を説明する断面図。
【図２】最良の形態のコンクリート建物の構築方法を説明する斜視図。
【図３】最良の形態のコンクリート建物の構築方法を説明する斜視図。
【図４】コンクリート建物としての野球場を示す斜視図。
【符号の説明】
【００１１】
１  内側型枠支持装置、５  内側型枠、８  外側型枠、
１０  コンクリート打設空間、１１  コンクリート構造体、
２０  トンネル形状空間。
【図１】
2006124927.tif 000003
【図２】
2006124927.tif 000004
【図３】
2006124927.tif 000005
【図４】
2006124927.tif 000006